(57)【要約】  本発明は、持ち運び容易な折畳み容器を提供することを目的とする。  そして、本発明では、矩形板状の底壁の左辺及び右辺に矩形板状の左右側壁を折曲可能に設けるとともに、前記底壁の上辺及び下辺に矩形板状の上下側壁を折曲可能に設け、前記左右側壁の上辺又は下辺と前記上下側壁の左辺又は右辺との間に矩形板状の折込片を半分の三角形状に折曲可能に設け、前記底壁から前記左右側壁及び上下側壁を折り起こすとともに各折込片を三角形状に折り曲げることで上部に開口を有する容器を形成する折畳み容器において、前記底壁と前記上下側壁に上下に伸延する直線状の折曲部を形成することによって前記底壁と前記上下側壁とを重ねた状態で折曲可能に形成することにした。
2010134215.tif 000002
【特許請求の範囲】
【請求項１】
矩形板状の底壁の左辺及び右辺に矩形板状の左右側壁を折曲可能に設けるとともに、前記底壁の上辺及び下辺に矩形板状の上下側壁を折曲可能に設け、前記左右側壁の上辺又は下辺と前記上下側壁の左辺又は右辺との間に矩形板状の折込片を半分の三角形状に折曲可能に設け、前記底壁から前記左右側壁及び上下側壁を折り起こすとともに各折込片を三角形状に折り曲げることで上部に開口を有する容器を形成する折畳み容器において、
前記底壁と前記上下側壁に上下に伸延する直線状の折曲部を形成することによって前記底壁と前記上下側壁とを重ねた状態で折曲可能に形成したことを特徴とする折畳み容器。
【請求項２】
前記底壁及び上下側壁の前記折曲部で区画された各領域に補強板を貼着したことを特徴とする請求項１に記載の折畳み容器。
【請求項３】
前記左右側壁の左辺又は右辺に係止片を形成するとともに、係止片の上辺及び下辺に切欠を形成し、前記係止片と前記折込片とを前記左右側壁の外側に折り曲げ、前記係止片の切欠で前記折込片を係止可能に形成したことを特徴とする請求項１又は請求項２に記載の折畳み容器。
【請求項４】
前記上下側壁を底壁側に折り曲げるとともに、前記折込片の左右側壁側の三角形状の領域を前記左右側壁の内側に接着したことを特徴とする請求項１又は請求項２に記載の折畳み容器。
【発明の詳細な説明】
【技術分野】
【０００１】
本発明は、折畳み容器に関するものである。
【背景技術】
【０００２】
従来より、持ち運びを容易なものとした容器として、シート状に広げた状態から各部を折り曲げることで箱状の容器を形成することができるようにした折畳み容器が利用されている（たとえば、特許文献１参照。）。【０００３】
この折畳み容器としては、矩形板状の底壁の左辺及び右辺に矩形板状の左右側壁を折曲可能に設けるとともに、底壁の上辺及び下辺に矩形板状の上下側壁を折曲可能に設け、左右側壁の上辺又は下辺と上下側壁の左辺又は右辺との間に矩形板状の折込片を半分の三角形状に折曲可能に設けている。【０００４】
そして、従来の折畳み容器では、底壁から左右側壁及び上下側壁を折り起こすとともに各折込片を内側に折り込むことで上部に開口を有する容器を形成するようにしていた。
【先行技術文献】
【特許文献】
【０００５】
【特許文献１】特開２００４−２６２３１号公報
【発明の概要】
【発明が解決しようとする課題】
【０００６】
近年、地球環境への配慮のため、外食店での食べ残し等の無駄を省くために、持ち帰り用の容器を持参する人が増えてきており、その容器として上記の折畳み容器を活用することが考えられる。【０００７】
しかしながら、上記従来の折畳み容器にあっては、広げた状態でシート状にすることができるものの、シート状に広げた状態での占有面積が大きく、ハンドバックやセカンドバックなどに入れて持ち歩くには不便なものであった。
【課題を解決するための手段】
【０００８】
そこで、請求項１に係る本発明では、矩形板状の底壁の左辺及び右辺に矩形板状の左右側壁を折曲可能に設けるとともに、前記底壁の上辺及び下辺に矩形板状の上下側壁を折曲可能に設け、前記左右側壁の上辺又は下辺と前記上下側壁の左辺又は右辺との間に矩形板状の折込片を半分の三角形状に折曲可能に設け、前記底壁から前記左右側壁及び上下側壁を折り起こすとともに各折込片を三角形状に折り曲げることで上部に開口を有する容器を形成する折畳み容器において、前記底壁と前記上下側壁に上下に伸延する直線状の折曲部を形成することによって前記底壁と前記上下側壁とを重ねた状態で折曲可能に形成することにした。【０００９】
また、請求項２に係る本発明では、前記請求項１に係る本発明において、前記底壁及び上下側壁の前記折曲部で区画された各領域に補強板を貼着することにした。【００１０】
また、請求項３に係る本発明では、前記請求項１又は請求項２に係る本発明において、前記左右側壁の左辺又は右辺に係止片を形成するとともに、係止片の上辺及び下辺に切欠を形成し、前記係止片と前記折込片とを前記左右側壁の外側に折り曲げ、前記係止片の切欠で前記折込片を係止可能に形成することにした。【００１１】
また、請求項４に係る本発明では、前記請求項１又は請求項２に係る本発明において、前記上下側壁を底壁側に折り曲げるとともに、前記折込片の左右側壁側の三角形状の領域を前記左右側壁の内側に接着することにした。
【発明の効果】
【００１２】
そして、本発明では、以下に記載する効果を奏する。【００１３】
すなわち、本発明では、折畳み容器において、底壁と上下側壁に上下に伸延する直線状の折曲部を形成することによって底壁と上下側壁とを重ねた状態で折曲可能に形成しているために、折畳み容器を折曲部において底壁と上下側壁とを重ねた状態で折り曲げることで、従来よりも小さく折畳むことができるので、ハンドバックやセカンドバックなどに入れて持ち運ぶことができる。【００１４】
特に、底壁及び上下側壁の折曲部で区画された各領域に補強板を貼着した場合には、容器を形成したときの補強となるとともに、折曲部と異なる部位で誤って折り曲げられてしまうのを防止することができる。【００１５】
また、左右側壁の左辺又は右辺に係止片を形成するとともに、係止片の上辺及び下辺に切欠を形成し、係止片と折込片とを左右側壁の外側に折り曲げ、係止片の切欠で折込片を係止可能に形成した場合には、左右側壁の外側に係止片と折込片とを折り曲げるとともに係止片の切欠で折込片を係止することによって上部に開口を有する箱型状の容器を容易に形成することができ、これにより、折畳み容器の使い勝手を向上させることができる。【００１６】
また、上下側壁を底壁側に折り曲げるとともに、折込片の左右側壁側の三角形状の領域を左右側壁の内側に接着した場合には、底壁から上下側壁を折り起こすことで、上下側壁とともに左右側壁も同時に折り起こされることになり、上部に開口を有する箱型状の容器を容易に形成することができ、これにより、折畳み容器の使い勝手を向上させることができる。
【図面の簡単な説明】
【００１７】
【図１】実施例１に係る折畳み容器の組立後の状態を示す斜視図。
【図２】実施例１に係る折畳み容器を展開した状態を示す斜視図（（ａ）表側（内側）、（ｂ）裏側（外側））。
【図３】実施例１に係る折畳み容器の組立前の状態を示す斜視図（ａ）、同平面図（ｂ）、同背面図（ｃ）。
【図４】実施例１に係る折畳み容器の組立方法を示す説明図。
【図５】実施例２に係る折畳み容器の組立前の状態を示す斜視図（ａ）、同平面図（ｂ）、同背面図（ｃ）。
【図６】実施例２に係る折畳み容器の組立方法を示す説明図。
【発明を実施するための形態】
【００１８】
以下に、本発明に係る折畳み容器の具体的な構成について実施例１と実施例２に分けて図面を参照しながら説明する。なお、以下の説明では、各実施例に共通の部材については同一の符号を用いている。
【実施例１】
【００１９】
図１に示すように、実施例１に係る折畳み容器１は、組立てることによって上部に開口を有する容器を形成することができ、単独で使用することもでき、また、一回り大きなサイズの折畳み容器1'を上下反転させて被せることで箱として使用することもできる。【００２０】
この折畳み容器１は、図２に示すように、横長矩形板状の底壁２の左辺及び右辺に縦長矩形板状の左右側壁3,4を上下に伸延する直線状の折曲部5,6を介して折曲可能に設けている。【００２１】
また、折畳み容器１は、底壁２の上辺及び下辺に横長矩形板状の上下側壁7,8を左右に伸延する直線状の折曲部9,10を介して折曲可能に設けている。【００２２】
また、折畳み容器１は、左側壁３の上辺と上側壁７の左辺との間、左側壁３の下辺と下側壁８の左辺との間、右側壁４の上辺と上側壁７の右辺との間、右側壁４の下辺と下側壁８の右辺との間、それぞれに矩形板状（正方形状）の折込片11〜14を上下又は左右に伸延する直線状の折曲部15〜22を介して折曲可能に設け、各折込片11〜14の中央に対角線状の折曲部23〜26を形成して、各折込片11〜14を半分の三角形状（正三角形状）に折曲可能に形成している。【００２３】
また、折畳み容器１は、左側壁３の左辺及び右側壁４の右辺に縦長矩形板状の折入片27,28を上下に伸延する折曲部29,30を介して折曲可能に設けている。【００２４】
また、折畳み容器１は、底壁２と上下側壁7,8に上下に伸延する直線状の折曲部31,32を形成するとともに、底壁２と上下側壁7,8の折曲部31,32で区画された各領域に補強板33〜41を貼着し、左右側壁3,4にも補強板42,43を貼着している。【００２５】
さらに、折畳み容器１は、図３に示すように、上下側壁7,8を折曲部9,10で底壁側に180度折り曲げる（折り返す）とともに、折込片11〜14を折曲部15〜22で左右側壁側に180度折り曲げ（折り返し）て、各折込片11〜14の左右側壁側の三角形状の領域44〜47を左右側壁3,4に予め接着しておいて、横長矩形板状に形成している。【００２６】
なお、折畳み容器１は、折込片11〜14と折入片27,28との間に矩形状の連結片48〜51を形成し、各連結片48〜51を折入片27,28に接着している。これにより、折畳み容器１は、図２に示すように展開した状態で全体が矩形状となるようにして材取りの効率を上げてコストダウンを図るとともに、各連結片48〜51を折入片27,28に予め接着しておいて強度を増大させるようにしている。【００２７】
この折畳み容器１は、底壁２と左右側壁3,4との間に上下に伸延する折曲部5,6を有するとともに、上下側壁7,8と折込片11〜14との間に上下に伸延する折曲部16,18,20,22を有するために、図３に示す横長矩形板状の状態から左右側壁3,4を底壁側に180度折り曲げることができ、また、左右側壁3,4と折入片27,28との間に上下に伸延する折曲部29,30を有するために、折入片27,28を左右側壁側に180度折り曲げることができ、さらに、底壁２及び上下側壁7,8にも上下に伸延する折曲部31,32を有しているために、底壁２と上下側壁7,8とを重ねた状態で180度折り曲げることができる。【００２８】
これにより、折畳み容器１は、上記折曲部5,6,16,18,20,22,29,30,31,32を交互に逆向きに180度折り曲げる（交互に山折りと谷折りする）ことで、図４（ａ）に示すように、持ち運び便利な小型なものとすることができる。【００２９】
そして、使用時には、図４（ｂ）に示すように、各折曲部5,6,16,18,20,22,29,30,31,32を逆向きに180度折り起こして横長矩形板状に延ばし、その後、上下側壁7,8の左右に伸延する折曲部9,10を90度折り起こすことで、上下側壁7,8の左辺及び右辺に連設する折込片11〜14が三角形状の領域44〜47において予め左右側壁3,4に接着されているために、図４（ｃ）に示すように、上下側壁7,8とともに左右側壁3,4も同時に折曲部5,6で90度折り起こされるとともに、各折込片11〜14が内側に折り込まれ、その後、折入片27,28及び連結片48〜51を内側（左右側壁側）に180度折り曲げることで、図４（ｄ）に示すように、上部に開口を有する箱型状の容器を形成することができる。【００３０】
以上に説明したように、上記折畳み容器１は、矩形板状の底壁２の左辺及び右辺に矩形板状の左右側壁3,4を折曲可能に設けるとともに、底壁２の上辺及び下辺に矩形板状の上下側壁7,8を折曲可能に設け、左右側壁3,4の上辺又は下辺と上下側壁7,8の左辺又は右辺との間に矩形板状の折込片11〜14を半分の三角形状に折曲可能に設け、底壁２から左右側壁3,4及び上下側壁7,8を折り起こすとともに各折込片11〜14を内側に折り込むことで上部に開口を有する容器を形成することができるようになっている。【００３１】
しかも、上記折畳み容器１では、底壁２と上下側壁7,8に上下に伸延する直線状の折曲部31,32を形成して、底壁２と上下側壁7,8とを重ねた状態で折曲可能に形成しているために、底壁２と上下側壁7,8とを重ねた状態で折り曲げることで、従来よりも小さく折畳むことができるので、ハンドバックやセカンドバックなどに入れて持ち運ぶことができる。【００３２】
また、上記折畳み容器１では、底壁２及び上下側壁7,8の折曲部31,32で区画された各領域に補強板33〜41を貼着しているために、容器を形成したときの補強となるとともに、折曲部31,32と異なる部位で誤って折り曲げられてしまうのを防止することができる。なお、補強板33〜43は、内側面又は外側面のいずれに貼着してもよいが、内側面に貼着した場合には、隣接する補強板33〜41の間に折曲部31,32に沿って形成される溝を利用して仕切板を着脱自在に装着することができるようになり、また、外側面に貼着した場合には、内側面を平坦に形成することができて内側面の洗浄を容易なものとすることができる。【００３３】
また、上記折畳み容器１では、上下側壁7,8を底壁側に折り曲げるとともに、折込片11〜14の左右側壁側の三角形状の領域44〜47を左右側壁3,4の内側に接着しているために、底壁２から上下側壁7,8を折り起こすことで、上下側壁7,8とともに左右側壁3,4も同時に折り起こされることになり、上部に開口を有する箱型状の容器を容易に形成することができ、これにより、折畳み容器１の使い勝手を向上させることができる。
【実施例２】
【００３４】
実施例２に係る折畳み容器1"は、図１に示した実施例１に係る折畳み容器1,1'と同様に、組立てることによって上部に開口を有する容器を形成することができ、単独で使用することもでき、また、一回り大きなサイズの折畳み容器を上下反転させて被せることで箱として使用することもできる。【００３５】
この実施例２に係る折畳み容器1"は、図５に示すように、横長矩形板状の底壁２の左辺及び右辺に縦長矩形板状の左右側壁3,4を上下に伸延する直線状の折曲部5,6を介して折曲可能に設け、底壁２の上辺及び下辺に横長矩形板状の上下側壁7,8を左右に伸延する直線状の折曲部9,10を介して折曲可能に設けている。【００３６】
また、折畳み容器1"は、左側壁３の上辺と上側壁７の左辺との間、左側壁３の下辺と下側壁８の左辺との間、右側壁４の上辺と上側壁７の右辺との間、右側壁４の下辺と下側壁８の右辺との間、それぞれに矩形板状（正方形状）の折込片11〜14を上下又は左右に伸延する直線状の折曲部15〜22を介して折曲可能に設け、各折込片11〜14の中央に対角線状の折曲部23〜26を形成して、各折込片11〜14を半分の三角形状（正三角形状）に折曲可能に形成している。【００３７】
また、折畳み容器1"は、左側壁３の左辺及び右側壁４の右辺に縦長矩形板状の係止片52,53を上下に伸延する折曲部29,30を介して折曲可能に設けている。この係止片52,53は、上辺及び下辺に上下に伸延する三角形状の切欠54〜57を形成している。【００３８】
また、折畳み容器1"は、底壁２と上下側壁7,8に上下に伸延する直線状の折曲部31,32を形成するとともに、底壁２と上下側壁7,8の折曲部31,32で区画された各領域に補強板33〜41を貼着し、左右側壁3,4にも補強板42,43を貼着している。【００３９】
さらに、折畳み容器1"は、各折込片11〜14の左右側壁側の三角形状の領域44〜47に三角形状の補強板58〜61を貼着するとともに、各係止片52,53に略同一形状の補強板62,63を貼着している。なお、折畳み容器1"は、折込片11〜14と係止片52,53との間に縦長矩形状の連結片64〜67を形成している。【００４０】
この折畳み容器1"は、底壁２と上下側壁7,8との間に左右に伸延する折曲部9,10を有するとともに、左右側壁3,4と折込片11〜14との間に左右に伸延する折曲部15〜22を有するために、上下側壁7,8と折込片11〜14を折曲部9,10,15〜22で底壁側又は左右側壁側に180度折り曲げることができ、また、底壁２と左右側壁3,4との間に上下に伸延する折曲部5,6を有するとともに、上下側壁7,8と折込片11〜14との間に上下に伸延する折曲部16,18,20,22を有するために、左右側壁3,4を底壁側に180度折り曲げることができ、また、左右側壁3,4と係止片52,53との間に上下に伸延する折曲部29,30を有するために、係止片52,53を左右側壁側に180度折り曲げることができ、さらに、底壁２及び上下側壁7,8にも上下に伸延する折曲部31,32を有しているために、底壁２と上下側壁7,8とを重ねた状態で180度折り曲げることができる。これにより、折畳み容器1"は、上記折曲部5,6,16,18,20,22,29,30,31,32を交互に逆向きに180度折り曲げる（交互に山折りと谷折りする）ことで、図６（ａ）に示すように、持ち運び便利な小型なものとすることができる。【００４１】
そして、使用時には、図６（ｂ）に示すように、各折曲部5,6,16,18,20,22,29,30,31,32を逆向きに180度折り起こして横長矩形板状に延ばし、その後、図６（ｃ）に示すように、上下側壁7,8を折曲部9,10で90度折り起こすとともに、左右側壁3,4を折曲部5,6で90度折り起こし、左右側壁3,4の外側に各折込片11〜14を三角形状に折り曲げ、その後、係止片52,53を左右側壁3,4の外側に折り曲げるとともに、係止片52,53の切欠54〜57で折込片11〜14を係止することで、図６（ｄ）に示すように、上部に開口を有する箱型状の容器を形成することができる。【００４２】
以上に説明したように、上記折畳み容器1"は、矩形板状の底壁２の左辺及び右辺に矩形板状の左右側壁3,4を折曲可能に設けるとともに、底壁２の上辺及び下辺に矩形板状の上下側壁7,8を折曲可能に設け、左右側壁3,4の上辺又は下辺と上下側壁7,8の左辺又は右辺との間に矩形板状の折込片11〜14を半分の三角形状に折曲可能に設け、底壁２から左右側壁3,4及び上下側壁7,8を折り起こすとともに各折込片11〜14を三角形状に折り曲げることで上部に開口を有する容器を形成することができるようになっている。【００４３】
しかも、上記折畳み容器1"では、底壁２と上下側壁7,8に上下に伸延する直線状の折曲部31,32を形成して、底壁２と上下側壁7,8とを重ねた状態で折曲可能に形成しているために、底壁２と上下側壁7,8とを重ねた状態で折り曲げることで、従来よりも小さく折畳むことができるので、ハンドバックやセカンドバックなどに入れて持ち運ぶことができる。【００４４】
また、上記折畳み容器1"では、底壁２及び上下側壁7,8の折曲部31,32で区画された各領域に補強板33〜41を貼着しているために、容器を形成したときの補強となるとともに、折曲部31,32と異なる部位で誤って折り曲げられてしまうのを防止することができる。なお、補強板33〜43は、内側面又は外側面のいずれに貼着してもよいが、内側面に貼着した場合には、隣接する補強板33〜41の間に折曲部31,32に沿って形成される溝を利用して仕切板を着脱自在に装着することができるようになり、また、外側面に貼着した場合には、内側面を平坦に形成することができて内側面の洗浄を容易なものとすることができる。【００４５】
さらに、上記折畳み容器1"では、左右側壁3,4の左辺又は右辺に係止片52,53を形成するとともに、係止片52,53の上辺及び下辺に切欠54〜57を形成し、係止片52,53と折込片11〜14とを左右側壁3,4の外側に折り曲げ、係止片52,53の切欠54〜57で折込片11〜14を係止可能に形成しているために、左右側壁3,4の外側に係止片52,53と折込片11〜14とを折り曲げるとともに係止片52,53の切欠54〜57で折込片11〜14を係止することによって上部に開口を有する箱型状の容器を容易に形成することができ、これにより、折畳み容器1"の使い勝手を向上させることができる。
【符号の説明】
【００４６】
1,1'  折畳み容器                          ２  底壁
３  左側壁                                ４  右側壁
5,6  折曲部                               ７  上側壁
８  下側壁                                9,10  折曲部
11〜14  折込片                            15〜26  折曲部
27,28  折入片                             29〜32  折曲部
33〜43  補強板                            44〜47  領域
48〜51  連結片                            52,53  係止片
54〜57  切欠                              58〜63  補強板
64〜67  連結片
【図１】
2010134215.tif 000003
【図２】
2010134215.tif 000004
【図３】
2010134215.tif 000005
【図４】
2010134215.tif 000006
【図５】
2010134215.tif 000007
【図６】
2010134215.tif 000008
【国際調査報告】
2010134215.tif 000009
2010134215.tif 000010
2010134215.tif 000011
2010134215.tif 000012